(57)【要約】  回路、方法、及び装置は、単一集積回路上に無線物理インタフェース及びオーディオ処理ユニットの両者を内蔵する。無線物理インタフェースは、受信機、送信機、又はこれらを兼ねたトランシーバを備えてもよい。オーディオ処理ユニットは、典型的には、無線インタフェース及び一以上の有線物理インタフェースの両者と通信する。集積回路は、無線物理インタフェース及びオーディオ処理ユニットと同じ程度に簡単なものであってもよく、或いは、グラフィックスプロセッサ、ネットワーキングインタフェース又はメモリ等のその他の回路を含んでいてもよい。【選択図】  図２
2008520170.tif 000002
【特許請求の範囲】
【請求項１】
無線規格又は無線プロトコルに準拠した第１のＲＦ信号の形態でオーディオ情報を受信するように構成された無線受信機と、
前記無線トランシーバに結合され、前記オーディオ情報を処理するように構成されたオーディオプロセッサと、
前記処理されたオーディオ情報を提供するように構成された出力セルと、
を備える集積回路。
【請求項２】
前記無線受信機が、更に、前記第１のＲＦ信号を復調するように構成された、請求項１に記載の集積回路。
【請求項３】
前記無線規格又は無線プロトコルが、短距離ＲＦ規格又は短距離ＲＦプロトコルである、請求項２に記載の集積回路。
【請求項４】
前記短距離ＲＦ規格又は短距離ＲＦプロトコルが、ＩＥＥＥ８０２．１１ａ、ＩＥＥＥ８０２．１１ｂ、ＩＥＥＥ８０２．１１ｇ、及びＢｌｕｅｔｏｏｔｈからなる群の中の一つである、請求項３に記載の集積回路。
【請求項５】
前記オーディオプロセッサが、該オーディオプロセッサの処理の一部として、前記オーディオ情報を操作するように構成されている、請求項１に記載の集積回路。
【請求項６】
前記出力セルが、前記処理されたオーディオ情報をスピーカーに提供するように構成されている、請求項１に記載の集積回路。
【請求項７】
前記出力セルが、前記処理されたオーディオ情報を記憶ユニットに提供するように構成されている、請求項１に記載の集積回路。
【請求項８】
前記無線受信機が、更に、第２のＲＦ信号の形態でオーディオ情報を受信するように構成されており、前記オーディオプロセッサが、更に、前記第１のＲＦ信号からの前記オーディオ情報を、前記第２のＲＦ信号からの前記オーディオ情報とともに処理するように構成された、請求項１に記載の集積回路。
【請求項９】
オーディオ情報を受信するように構成された入力セルと、
処理されたオーディオ情報を受信し、且つ、該オーディオ情報を、無線規格又は無線プロトコルに準拠する第２のＲＦ信号の形態で送信するように構成された無線送信機と、
を更に備え、
前記オーディオプロセッサが、更に、前記入力セルと前記無線送信機との間に結合されている、
請求項１に記載の集積回路。
【請求項１０】
オーディオ情報を受信するように構成された入力セルと、
前記入力セルに結合され、且つ、前記オーディオ情報を処理するように構成されたオーディオプロセッサと、
前記処理されたオーディオ情報を受信し、且つ、該処理されたオーディオ情報を、無線規格又は無線プロトコルに準拠するＲＦ信号の形態で送信するように構成された無線送信機と、
を備える集積回路。
【請求項１１】
前記無線送信機が、更に、前記処理されたオーディオ情報をＲＦ搬送波で変調するように構成されている、請求項１０に記載の集積回路。
【請求項１２】
前記無線規格又は無線プロトコルが、短距離ＲＦ規格又は短距離ＲＦプロトコルである、請求項１１に記載の集積回路。
【請求項１３】
前記短距離ＲＦ規格又は短距離ＲＦプロトコルが、ＩＥＥＥ８０２．１１ａ、ＩＥＥＥ８０２．１１ｂ、ＩＥＥＥ８０２．１１ｇ、及びＢｌｕｅｔｏｏｔｈからなる群の中の一つである、請求項１１に記載の集積回路。
【請求項１４】
前記オーディオプロセッサが、該オーディオプロセッサの処理の一部として、前記オーディオ情報を操作するように構成されている、請求項１０に記載の集積回路。
【請求項１５】
前記入力セルが、メディアプレーヤーから前記オーディオ情報を受信するように構成された、請求項１０に記載の集積回路。
【請求項１６】
無線規格又は無線プロトコルに準拠する第２のＲＦ信号の形態でオーディオ情報を受信するように構成された無線受信機と、
前記処理されたオーディオ情報を提供するように構成された出力セルと、
を更に備え、
前記オーディオプロセッサが、更に、無線受信機と前記出力セルとの間に結合されている、
請求項１０に記載の集積回路。
【請求項１７】
オーディオ情報を受信して処理する方法であって、
無線通信リンクを確立するステップと、
前記集積回路上の受信機を用いて、前記通信リンクを介してオーディオ情報を受信するステップと、
前記集積回路上のプロセッサを用いて、前記オーディオ情報を処理するステップと、
前記処理されたオーディオ情報を出力するステップと、
を含む方法。
【請求項１８】
前記無線通信リンクが、コンピュータに結合された送信機とのものである、請求項１７に記載の方法。
【請求項１９】
前記処理されたオーディオ情報が、スピーカーに出力される、請求項１７に記載の方法。
【請求項２０】
処理されたオーディオ情報を送信する方法であって、
集積回路上の処理回路によってオーディオ情報を受信するステップと、
前記処理回路によって前記オーディオ情報を処理するステップと、
無線通信リンクを確立するステップと、
前記集積回路上の無線送信機を用いて、前記処理されたオーディオ情報を、前記無線通信リンクを介して送信するステップと、
を含む方法。
【請求項２１】
前記無線通信リンクが、スピーカーに結合される送信機とのものである、請求項２０に記載の方法。
【請求項２２】
前記オーディオ情報が、メディアプレーヤーから受信される、請求項２０に記載の方法。
【請求項２３】
オーディオデータを転送して処理する方法であって、
集積回路上のオーディオプロセッサと前記集積回路上の第１の無線回路との間でオーディオデータを転送するステップと、
無線通信リンクを介して前記集積回路上の前記第１の無線回路と、第２の無線回路との間で変調されたオーディオデータを転送するステップと、
前記第２の無線回路とインターネットとの間でオーディオデータを転送するステップと、
を含む方法。
【請求項２４】
前記オーディオプロセッサによって前記オーディオデータを処理するステップを更に備える、請求項２３に記載の方法。
【請求項２５】
前記第１の無線回路が、送信機を備え、前記変調されたオーディオデータが、前記第１の無線回路によって前記第２の無線回路に送信される、請求項２３に記載の方法。
【請求項２６】
前記第１の無線回路が、受信機を備え、前記変調されたオーディオデータが、前記第１の無線回路によって前記第２の無線回路から受信される、請求項２３に記載の方法。
【請求項２７】
前記無線通信リンクが、無線規格又は無線プロトコルに準拠している、請求項２３に記載の方法。
【請求項２８】
前記無線規格又は無線プロトコルが、短距離ＲＦ規格又は短距離ＲＦプロトコルである、請求項２７に記載の方法。
【請求項２９】
前記短距離ＲＦ規格又は短距離ＲＦプロトコルが、ＩＥＥＥ８０２．１１ａ、ＩＥＥＥ８０２．１１ｂ、ＩＥＥＥ８０２．１１ｇ、及びＢｌｕｅｔｏｏｔｈからなる群の中の一つである、請求項２７に記載の方法。
【発明の詳細な説明】
【背景】
【０００１】
[0001]本発明は、広く、オーディオ及び無線集積回路に関するものであり、より詳細には、無線トランシーバ及びオーディオプロセッサの両者を備える集積回路に関するものである。
【０００２】
[0002]コンピュータは、会社の領域を越えて、家庭に浸透しつつある。コンピュータは、家庭に浸透するや否や、ビデオ情報及びオーディオ情報を含む娯楽の供給者の役割を果たしている。このことは、コンピュータシステムが新しいより効率的な形でオーディオデータを操作及び処理するように設計されなければならないことを意味する。すなわち、スプレッドシート及びサイレントウェブページのために設計されたシステムは、改善される可能性があることを意味する。
【０００３】
[0003]カリフォルニア州サンタクララのＮＶＩＤＩＡ  Ｃｏｒｐｏｒａｔｉｏｎは、近年、分散処理として知られる画期的な技術を開発した。ＮＶＩＤＩＡは、現在、分散処理の原理及び利点を、グラフィックス、ネットワーキング、及びその他の機能のような種々の計算タスクに応用している。簡単に言えば、分散処理は、電子システムの計算負荷を、個々のタスクを最も効率的に操作することのできるシステム内の回路に割り振るものである。
【０００４】
[0004]したがって、ＮＶＩＤＩＡは、分散処理の利点をオーディオ情報に応用してきた。オーディオ処理を中央処理装置からより特化したオーディオ処理ユニットへ移し換えることによって、ＣＰＵは、解放されて別のタスクを実行し、オーディオ関連タスクは、特化したＡＰＵによって、より効率的に完遂される。
【０００５】
[0005]それと同時に、コンピュータが家庭の部屋に入る場合には、コンピュータの絡み合った目障りな配線を除去することが要望されるであろう。洗練されたサラウンドサウンドシステムを享受する楽しみは、配線が蜘蛛の巣のように周囲に広がっていれば、いくぶん減少してしまう。このケーブル接続は、現在入手することのできる、或いは、将来開発され得る一以上の種々の無線技術を使用することによって、除去することができる。
【０００６】
[0006]このように、分散処理の概念を利用して、計算作業負荷を分散させ、それと同時に、無線技術を組み込んで、さもなければ生じるであろう配線の混雑を緩和する回路、方法、及び装置が、要求されている。
【概要】
【０００７】
[0007]したがって、本発明の実施の形態は、単一集積回路上に無線物理インタフェース及びオーディオ処理ユニットの両者を内蔵する回路、方法、及び装置を提供する。無線物理インタフェースは、受信機、送信機、又は、これらを兼ね備えたトランシーバを含み得る。オーディオ処理ユニットは、典型的には、無線インタフェース及び一以上の有線物理インタフェースの両者と通信する。集積回路は、無線物理インタフェース及びオーディオ処理ユニットと同じ程度に簡単なものであってもよく、或いは、グラフィックスプロセッサ、ネットワーキングインタフェース、メモリ、メモリンタフェース、又は他の回路といったその他の回路を含んでいてもよい。本発明の種々の実施の形態は、本明細書で説明する一以上の特徴又はその他の特徴を利用してもよい。
【０００８】
[0008]本発明の例示の実施の形態は、集積回路を提供する。この集積回路は、無線規格又は無線プロトコルに準拠した第１のＲＦ信号の形態でオーディオ情報を受信するように構成された無線受信機と、無線トランシーバに結合され、オーディオ情報を処理するように構成されたオーディオプロセッサと、処理されたオーディオ情報を提供するように構成された出力セルと、を備える。
【０００９】
[0009]本発明の更なる例示の実施の形態は、別の集積回路を提供する。この集積回路は、オーディオ情報を受信するように構成された入力セルと、入力セルに結合され、オーディオ情報を処理するように構成されたオーディオプロセッサと、処理されたオーディオ情報を受信し、当該処理されたオーディオ情報を、無線規格又は無線プロトコルに準拠するＲＦ信号の形態で送信するように構成された無線送信機と、を備える。
【００１０】
[0010]また更に別の本発明の例示の実施の形態は、オーディオ情報を受信して処理する方法を提供する。この方法は、無線通信リンクを確立するステップと、集積回路上の受信機を用いて、通信リンクを介してオーディオ情報を受信するステップと、集積回路上のプロセッサを用いて、オーディオ情報を処理するステップと、処理されたオーディオ情報を出力するステップと、を含む。
【００１１】
[0011]また更に別の本発明の例示の実施の形態は、処理されたオーディオ情報を送信する方法を提供する。この方法は、集積回路上の処理回路によってオーディオ情報を受信するステップと、処理回路によってオーディオ情報を処理するステップと、無線通信リンクを確立するステップと、集積回路上の無線送信機を用いて、処理されたオーディオ情報を、無線通信リンクを介して送信するステップと、を含む。
【００１２】
[0012]以下の詳細な説明及び添付の図面を参照することによって、本発明の本質及び特徴をより良く理解することが可能となる。
【例示の実施の形態の説明】
【００１３】
[0019]図１は、本発明の実施の形態に従う集積回路のブロック図である。このブロック図は、集積回路１１０を備えており、集積回路１１０は、更に、ラジオ１２０及びオーディオ処理ユニット１３０を有している。ラジオ１２０は、送信機、受信機、又は、送信機及び受信機の両者、即ちトランシーバを含み得るものである。ラジオ１２０は、アンテナ１４０を介して、無線周波数信号を送信又は受信する。オーディオ処理ユニット１３０は、入力ポート１５０を介して、オーディオ情報を受信し、出力ポート１６０を介して、オーディオ情報を提供する。本発明の種々の実施の形態は、オーディオ入力ポート１５０又はオーディオ出力ポート１６０を有していなくてもよい。
【００１４】
[0020]ラジオ１２０は、無線周波数チョーク、フィルター、整合インピーダンス、又は、その他の回路を介して、アンテナ１４０に接続することができる。このその他の回路は、その実装に応じて、オンチップ又はオフチップであってもよい。オーディオ処理ユニット１３０は、一つ又は複数の入力セル（図示せず）を介して、ポート１５０上でオーディオ情報を受信することができる。同様に、オーディオ処理ユニット１３０は、一つ又は複数の出力セル（同様に図示せず）を介して、出力ポート１６０上でオーディオ情報を提供することができる。集積回路１１０は、グラフィックス処理ユニット、汎用処理ユニット、メモリ、又はその他の回路のような、その他の機能ブロックを備えていてもよい。
【００１５】
[0021]ラジオ１２０は、これらの例に備えられたその他のラジオ、トランシーバ、受信機、及び送信機と同様に、一以上の規格又はプロトコル、或いは、独自の信号仕様に準拠することができる。これらの規格又はプロトコルは、例えば、長距離又は短距離のＲＦ規格又はＲＦプロトコルであってもよい。ラジオ１２０は、Ｂｌｕｅｔｏｏｔｈ、８０２．１１ａ、８０２．１１ｂ、又は８０２．１１ｇのような短距離の規格又はプロトコル、或いは、ＦＭ規格又はＡＭ規格に準拠していてもよい。同様に、オーディオ入力ポート１５０及びオーディオ出力ポート１６０は、これらの例に備えられたその他のポートと同様に、一つ以上の規格又はプロトコル、或いは、独自の信号仕様に準拠していてもよい。例えば、オーディオ入力ポート１５０及びオーディオ出力ポート１６０は、ＳＰＤＩＦ、ＲＣＡ、又はその他のオーディオ接続規格に準拠していてもよい。これらの無線回路、入力回路、及び出力回路は、既存の規格又はプロトコル、及び独自の信号仕様と互換性があってもよい。さらに、将来においては、新しい規格又はプロトコル、及び独自の信号仕様が開発され、これらが、本発明の実施の形態によって使用されてもよい。
【００１６】
[0022]集積回路１１０上においてラジオ１２０とオーディオ処理ユニット１３０とを組み合わせることによって、幾つかの利点がもたらされる。例えば、ラジオ１２０の幾つか機能は、オーディオ処理ユニット１３０の中に組み込まれてもよい。ラジオ１２０とオーディオ処理ユニット１３０との間のインタフェースは、極めて高度なものであってもよい。何故ならば、インタフェース信号は、オフチップで駆動されないからである。また、信号は、オフチップで駆動されないので、さもなければ発生し得る電気的なスイッチングノイズ及びカップリングが減少し、これによって、ラジオの性能が改善される。さらに、オーディオ処理ユニット１３０は、ラジオ１２０から受信した信号を処理するように、また、送信のためにラジオ１２０に信号を提供するように、カスタマイズされてもよい。
【００１７】
[0023]無線周波数回路用の以前のＣＭＯＳソリューションは、性能的にそれほど十分なものではなかった。最近の開発によって、ＣＭＯＳは、これらの受信機及び送信機に使用することのできる極めて有望な技術になっている。ラジオ及びオーディオ処理ユニットの両者を単一チップ上に組み込むことによって、ラジオの性能に殆ど影響を与えることなく、ＣＭＯＳの利点をプロセッサ用に実現することができる。ＣＭＯＳを使用することによって、これらの集積回路を公知の低コストのプロセスを用いて製造することができ、それによって、システム全体のコストを削減することができる。さらに、ＣＭＯＳが低電力であることによって、これらデバイスを携帯型のバッテリー駆動式装置の中に組み込むことが可能となる。
【００１８】
[0024]ラジオ及びオーディオ処理ユニットを単一チップに集積化することは、プロセッサが、ラジオと同じ温度条件、プロセス条件、及び電圧条件下にあることを意味する。この認識は、ラジオ性能へのこれらの影響をプロセッサがより良好に補償することができることを意味する。
【００１９】
[0025]全てのＣＭＯＳデバイスの利点を簡単に説明したが、当業者には、III‐V族プロセス、ＢｉＣＭＯＳ、バイポーラ、ＳｉＧｅ、又はその他のプロセスのような、その他のプロセスを使用し得ること、また、これらプロセスのそれぞれが独自の利点をもたらすことが理解されよう。
【００２０】
[0026]図２は、本発明の実施の形態に従う集積回路を含むシステムのブロック図である。このブロック図は、集積回路２１０を備えており、当該集積回路２１０は、更に、ラジオ２２０及びオーディオ処理ユニット２３０を有している。ラジオ２２０は、アンテナ２４０を介して、無線周波数信号を送信及び受信する。オーディオ処理ユニット２３０は、入力ポート２５０を介して、オーディオ入力信号を受信し、出力ポート２６０を介して、オーディオ出力信号を提供する。
【００２１】
[0027]ラジオ２２０は、受信機２７０へ信号を送信し、また、送信機２８０から信号を受信する。さらに、ラジオ２２０は、コンピュータ２９０へ信号を送信し、また、コンピュータ２９０から信号を受信する。オーディオ処理ユニット２３０は、典型的には、簡略化のため図示しない入力セルを用いて、入力ポート２５０を介して信号を受信する。さらに、オーディオ処理ユニット２３０は、この場合にも同様に、典型的には、簡略化のため同様に図示しない一つ又は複数の出力セルを用いて、出力ポート２６０を介して出力信号を提供する。
【００２２】
[0028]受信機２７０は、ラジオ２２０のアンテナ２４０を介して、ラジオ２２０からの信号を当該受信機２７０のアンテナ２７６によって受信する。そして、受信機２７０は、オーディオ信号を記憶装置２７２及びスピーカー２７４に提供する。記憶装置２７２は、メモリ、ディスクドライブ、又はその他の記憶装置であってもよい。スピーカー２７４は、ヘッドフォンセット、又は他の種類の一つ又は複数のスピーカーであってもよい。
【００２３】
[0029]また、ラジオ２２０は、送信機２８０のアンテナ２８８を介して、送信機２８０から信号を受信する。送信機２８０は、この特定の例においては、発生器２８２、メディアプレーヤー２８４、及びマイクロフォン２８６から信号を受信する。発生器２８２は、コンピュータ又はコンピュータネットワーク、電子楽器、若しくは、オーディオ信号を発生させることのできるその他の回路であってもよい。さらに、オーディオ信号は、マイクロフォン２５４から受信されてもよい。このマイクロフォン、即ちトランスデューサ２５４は、音のような物理的な信号を、オーディオ処理ユニット２３０によって処理するための電子的な信号に変換する。この特定の例においては、信号は、また、メディアプレーヤー２５６から受信されてもよい。このメディアプレーヤーは、ＣＤプレーヤー、ＤＶＤプレーヤー、ディジタルオーディオテーププレーヤー、又はその他の種類のメディアプレーヤーであってもよい。
【００２４】
[0030]この特定の実施の形態においては、オーディオ処理ユニット２３０は、オーディオ信号発生器２５２、マイクロフォン２５４、及びメディアプレーヤー２５６から信号を受信する。発生器２５２は、コンピュータ又はコンピュータネットワーク、電子楽器、若しくは、オーディオ信号を発生させることのできるその他の回路であってもよい。オーディオ信号は、また、マイクロフォン２５４から受信されてもよい。このマイクロフォン、即ちトランスデューサ２５４は、音のような物理的な信号を、オーディオ処理ユニット２３０によって処理するための電子的な信号に変換する。この特定の例においては、信号は、また、メディアプレーヤー２５６から受信されてもよい。このメディアプレーヤーは、ＣＤプレーヤー、ＤＶＤプレーヤー、ディジタルオーディオテーププレーヤー、衛星ラジオ受信機、又はその他の種類のメディアプレーヤーであってもよい。
【００２５】
[0031]また、この特定の例においては、オーディオ信号は、出力ポート２６０を介して、スピーカー２６２及び記憶装置２６４に提供される。スピーカー２６２は、ヘッドフォンセット、又は他の一つ又は複数の種類のスピーカーであってもよい。記憶回路２６４は、メモリ、ハードドライブ、ＣＤレコーダー又はＤＶＤレコーダー、又はその他の記憶装置であってもよい。
【００２６】
[0032]この例示のブロック図においては、ラジオ２２０は、受信機２７０、送信機２８０、及びコンピュータ２９０と通信しているように示されている。当業者には、本発明の別の実施の形態では、ラジオ２２０は、図示したものよりも少ないか又は多い装置と通信してもよいことが理解できよう。さらに、受信機２７０、送信機２８０、及びコンピュータ２９０は、幾つかの例示的な装置に接続されているように示されている。当業者には、受信機２７０、送信機２８０、及びコンピュータ２９０は、図示したものよりも少ないか又は多い装置に接続されてもよいことが理解できよう。また、入力ポート２５０及び出力ポート２６０は、幾つかの例示的な装置に接続されているように示されている。この場合にも同様に、当業者には、入力ポート２５０及び出力ポート２６０は図示したものよりも少ないか又は多い装置に接続されてもよいことが理解できよう。
【００２７】
[0033]図３は、本発明の実施の形態に従ってオーディオ情報を受信し処理する方法のフローチャートである。ステップ３１０において、無線通信リンクが確立される。ステップ３２０において、オーディオ情報が、集積回路上の受信機を用いて、通信リンクを介して受信される。ステップ３３０において、オーディオ情報は、同様に集積回路上のプロセッサを用いて処理される。ステップ３４０において、処理されたオーディオ情報が出力される。
【００２８】
[0034]図４は、本発明の一実施形態に従ってオーディオ情報を処理し送信する方法のフローチャートである。ステップ４１０において、オーディオ情報が、集積回路上の処理回路によって受信される。ステップ４２０において、オーディオ情報は、集積回路上の処理回路を用いて処理される。ステップ４３０において、無線通信リンクが確立される。ステップ４４０において、処理されたオーディオ情報が、集積回路上の送信機を用いて、通信リンクを介して送信される。
【００２９】
[0035]図５は、本発明の実施の形態に従う集積回路を含む別のシステムのブロック図である。このブロック図は、集積回路５１０を含んでおり、当該集積回路５１０は、更に、ラジオ５２０及びオーディオ処理ユニット５３０を有している。ラジオ５２０は、コンピュータ５９０に信号を送信し、また、コンピュータ５９０から信号を受信する。オーディオ処理ユニット５３０は、オーディオ出力信号を一以上のスピーカー５６２に提供する。
【００３０】
[0036]この特定の例においては、コンピュータ５９０は、マイクロフォン５９２、メディアプレーヤー５９６、及びインターネット５９８から信号を受信する。コンピュータ５９０は、また、レコーダー５９４及びインターネット５９８に信号を提供する。
【００３１】
[0037]この特定の実施の形態においては、コンピュータ５９０は、幾つかのソースから信号を受信することができ、また、アンテナ５４０を介してそれら信号をラジオ５２０に提供することができる。ラジオ５２０は、オーディオ処理ユニット５３０に信号を提供する。オーディオ処理ユニットは、これらの様々なソースからの信号をミキシングし、オーバーレイし、或いは、組み合わせるのに使用できる。また、オーディオ処理ユニットは、集積回路５１０上において利用可能な予めプログラムされた機能のようなその他の機能を実行することができる。また、集積回路５１０は、メモリ回路を備えていてもよく、当該メモリ回路は、コンピュータ５９０によって提供される他の信号の代わりに、或いは、当該他の信号に組み合わせて使用され得るオーディオ信号を提供することができる。
【００３２】
[0038]図６は、本発明の実施の形態に従う集積回路を含む更に別のシステムのブロック図である。このブロック図は、集積回路６１０を含んでおり、集積回路６１０は、更に、受信機６２０及びオーディオ処理ユニット６３０を有している。受信機６２０は、幾つかの送信機ＴＸ０６７０〜ＴＸＮ６８０からオーディオ信号を受信する。
【００３３】
[0039]この特定の例においては、送信機ＴＸ０６７０は、ソース６７２から信号を受信し、アンテナ６７４上に出力信号を提供する。集積回路６１０は、受信機６２０を用いて、アンテナ６４０を介して信号を受信する。同様に、送信機ＴＸＮ６８０は、ソース６８２からオーディオ信号を受信し、アンテナ６８４を介して出力信号を提供する。集積回路６１０は、このオーディオ信号を、受信機６２０を用いて、アンテナ６４０を介して受信する。オーディオ処理ユニット６３０は、様々なソースから受信されたオーディオ信号を処理し、スピーカー６６２及び記憶装置６６４に出力を提供する。
【００３４】
[0040]この特定の実施の形態においては、オーディオ処理ユニット６３０は、幾つかのソース６７２〜６８２からの入力データを、受信機６２０を介して受信する。そして、オーディオ処理ユニット６３０は、それら信号をブレンドし、オーバーレイし、ミキシングし、合成し、又は、別の方法で処理して、一以上の出力を生成してもよい。これら出力は、次いで、例えば、スピーカー６６２を介して、聞かれてもよく、或いは、例えば、記憶装置６６４によって記憶されてもよい。
【００３５】
[0041]上述した例においては、特定の機器デバイスを、例として示した。本発明の実施の形態に従う別のシステムでは、その他のデバイスが、備えられていてもよい。それらデバイスの幾つかは、現在知られているもの又は入手できるものであってもよいが、便宜上、列挙しない。その他のデバイスは、必ず開発されるはずであり、そして、本発明の実施の形態によって組み込まれてもよい。
【００３６】
[0042]本発明の例示の実施の形態のこれまでの記述は、図示及び説明を目的としてなされたものである。本発明を完全に網羅すること、或いは、説明した形態そのものに本発明を限定することを意図するものではなく、また、上述した教示に基づいて、多くの変更及び変形を考えることが可能である。実施の形態は、本発明の原理及び実用化を最良に説明するために選択及び説明したものであり、それによって、当業者は、種々の実施の形態において、また、考えられる特定の利用形態に適合するように様々に変更することによって、本発明を最良に利用することができる。
【図面の簡単な説明】
【００３７】
【図１】本発明の実施の形態に従う集積回路のブロック図である。
【図２】本発明の実施の形態に従う集積回路を含むシステムのブロック図である。
【図３】本発明の実施の形態に従ってオーディオ情報を受信し処理する方法のフローチャートである。
【図４】本発明の実施の形態に従ってオーディオ情報を処理し送信する方法のフローチャートである。
【図５】本発明の実施の形態に従う集積回路を含む別のシステムのブロック図である。
【図６】本発明の実施の形態に従う集積回路を含む別のシステムのブロック図である。
【図１】
2008520170.tif 000003
【図２】
2008520170.tif 000004
【図３】
2008520170.tif 000005
【図４】
2008520170.tif 000006
【図５】
2008520170.tif 000007
【図６】
2008520170.tif 000008
【国際調査報告】
2008520170.tif 000009
2008520170.tif 000010